(57)【特許請求の範囲】
【請求項１】
無端状のベルトの外周面に、トラクタ用紙に形成された送り孔に挿入されるピンを有し、輪転することで前記トラクタ用紙を搬送するピンベルトと、
前記ピンベルトを輪転させる一対の輪転手段と、
前記一対の輪転手段の間に設けられ、前記ピンの先端が嵌め込まれる溝部を外周面に有し、嵌め込まれた前記ピンの先端が前記溝部に当接することによりローラの外周面から前記ベルトの外周面を離間させるローラと、
を備えるトラクタ。
【請求項２】
前記ローラの溝部の深さを前記ピンの高さより小さくすることにより、前記ローラの外周面と前記ベルトの外周面とを離間させる、請求項１に記載のトラクタ。
【請求項３】
前記ローラは、前記溝部に嵌め込まれた前記ピンの先端が前記溝部に当接することにより、前記ピンベルトの輪転軌道を湾曲させる、請求項１または２に記載のトラクタ。
【請求項４】
前記ピンベルトの輪転軌道は、前記一対の輪転手段の間で直線的に設けられる、請求項１または２に記載のトラクタ。
【請求項５】
前記ローラの溝部の深さをｄ、前記ピンの高さをｈ、前記トラクタ用紙の厚みをｄ１、所定数をｎとして、ｄ≦ｈ−ｎ・ｄ１の関係式が満たされることにより、前記ローラの外周面と前記ベルトの外周面とを離間させる、請求項２ないし４のいずれか１つに記載のトラクタ。
【請求項６】
前記ローラの外周面において、前記ローラの回転中心線に沿う方向での両縁部には面取り部が形成されている、請求項１ないし５のいずれか１つに記載のトラクタ。
【請求項７】
前記溝部の断面形状は湾曲した凹形状である、請求項１ないし６のいずれか１つに記載のトラクタ。
【請求項８】
請求項１ないし７のいずれか１つに記載のトラクタと、
前記トラクタにより搬送されるトラクタ用紙に印字する印字部と、を備えるプリンタ。
【発明の詳細な説明】
【技術分野】
【０００１】
本発明の実施形態は、トラクタおよびプリンタに関する。
【背景技術】
【０００２】
従来、輪転する左右一対のピンベルトによってトラクタ用紙を搬送するトラクタを備えたプリンタが知られている。トラクタ用紙の幅方向の両縁には、紙送り方向（搬送方向）に沿って送り孔が形成されている。また、ピンベルトの外周面には、長手方向に沿って一定のピッチでピンが形成されている。そして、トラクタ用紙の送り孔に、ピンベルト外周面上のピンを挿し込んでピンベルトを輪転させることにより、トラクタ用紙を搬送方向に搬送することができる。
【０００３】
ところで、省スペース化を図ることを目的として、凹弧状に湾曲した案内面に沿ってトラクタ用紙を湾曲させて搬送するトラクタを用いたプリンタが知られている。このようなトラクタは、ピンベルトを押え付けてピンベルトの輪転軌道を湾曲させるローラを備えている。そして、ローラの内側にはピンを収容するための溝が設けられており、ピンベルトとローラが当接してピンベルトを湾曲させる位置（湾曲部）においては、溝の外縁部がピンベルトの外周面に当接してピンベルトを搬送方向に送り出す。
【発明の概要】
【発明が解決しようとする課題】
【０００４】
しかしながら、従来技術においては、複数枚重ねられたトラクタ用紙を搬送する場合等に、ローラとピンベルトが当接するピンベルトの湾曲部においてトラクタ用紙がよれて皺が生じやすいという課題があった。また、案内面が湾曲していないトラクタにおいても、トラクタ用紙が複数枚重ねられた場合等には、ピンベルトを押え付けるローラ部分においてトラクタ用紙がよれやすいという課題がある。
【課題を解決するための手段】
【０００５】
実施形態のトラクタは、ピンベルトと、一対の輪転手段と、ローラとを備える。前記ピンベルトは、無端状のベルトの外周面に、トラクタ用紙に形成された送り孔に挿入されるピンを有し、輪転することで前記トラクタ用紙を搬送する。一対の輪転手段は、前記ピンベルトを輪転させる。前記ローラは、前記一対の輪転手段の間に設けられ、前記ピンの先端が嵌め込まれる溝部を外周面に有し、嵌め込まれた前記ピンの先端が前記溝部に当接することにより前記ローラの外周面から前記ベルトの外周面を離間させる。
【図面の簡単な説明】
【０００６】
【図１】図１は、本実施形態にかかるトラクタを備えた事務機の斜視図である。
【図２】図２は、トラクタの斜視図である。
【図３】図３は、ベルトユニットの側方断面図である。
【図４−１】図４−１は、従来のローラおよびピンベルトの直線３０における断面図であり、ローラとピンベルトとの間にトラクタ用紙が挿し込まれていない状態を示す図である。
【図４−２】図４−２は、従来のローラおよびピンベルトの直線３０における断面図であり、ローラとピンベルトとの間にトラクタ用紙が挿し込まれている状態を示す図である。
【図５】図５は、本実施形態のローラおよびピンベルトの直線３０における断面図である。
【図６】図６は、ピンの高さを変更したピンベルトの一例を示す図である。
【図７】図７は、その他の形状のローラの一例を示す断面図である。
【図８】図８は、トラクタ用紙の搬送経路が湾曲していない場合のベルトユニットの側方断面図である。
【発明を実施するための形態】
【０００７】
図１は、本実施形態にかかるトラクタ９を備えた事務機１の斜視図である。図１に示すように、本実施形態にかかる事務機１は、本体部３と、キーボード４と、ディスプレイ５と、を備えている。
【０００８】
本体部３の筐体２内には、コンピュータの本体部とプリンタ部（ともに不図示）とが収容されている。また、筐体２においてディスプレイ５の反対側となる位置には、トラクタ用紙６（図２参照）の給紙口７が形成されている。また、筐体２の内部には、トラクタ用紙６を搬送するトラクタ９が収容されている。そして、筐体２の上方には、給紙口７から筐体２内に取り込まれたトラクタ用紙６がプリンタ部で印字された後に排出される排紙口８が形成されている。なお、図示しないが、本実施形態ではディスプレイ５の下方にも給紙口が形成されている。図示しないトラクタ９とは別の搬送機構が、作業者によってディスプレイ５の下の給紙口から挿入された紙をローラ等で搬送し、プリンタ部を介して排紙口８から排出する。
【０００９】
図２は、トラクタ９の斜視図である。事務機１のプリンタ部で印字されるトラクタ用紙６は、切り離し可能なミシン目（図示せず）が長手方向に一定間隔で形成された帯状の用紙である。トラクタ用紙６の一例としては、複数の紙を重ねた伝票用紙が用いられる。トラクタ用紙６の両側部には、長手方向に沿って一定のピッチで複数の送り孔６ｂが形成されている。トラクタ用紙６は、ミシン目を折り目としてジグザグに折りたたまれた積層状態で事務機１の横に置かれる。トラクタ９は、折り畳まれたトラクタ用紙６の上面から順次トラクタ用紙６を引き出して搬送する。
【００１０】
図２に示すように、トラクタ９は、ピンベルト１４（図３参照）を備えるベルトユニット１１と、ガイド部１２と、シャフト１３とを主に備えている。
【００１１】
シャフト１３は、一対のベルトユニット１１間に架設されている。また、シャフト１３の軸方向の略中央部には、図示しない取付具等によってガイド部１２が保持されている。なお、シャフト１３以外の図示しないシャフトを、一対のベルトユニット１１間に架設してもよい。
【００１２】
一対のベルトユニット１１は、シャフト１３を介して互いに平行に保持される。作業者は、いずれか一方のベルトユニット１１をシャフト１３に沿ってスライドさせて双方のベルトユニット１１の間隔を変更することができる。これにより作業者は、トラクタ用紙６の用紙幅に応じてトラクタ用紙６の両縁部６ａにベルトユニット１１の位置を合わせることができ、トラクタ用紙６の送り孔６ｂを左右両側のベルトユニット１１のピンベルト１４（図３参照）に装着することができる。
【００１３】
ガイド部１２は、左右両側のベルトユニット１１の略中間に配置されている。ガイド部１２は、ベルトユニット１１に保持されるトラクタ用紙６の略中央を下方から支える。これにより、トラクタ用紙６が自重で撓んでトラクタ用紙６の両縁部６ａに張力がかかりにくくなる。
【００１４】
ベルトユニット１１およびガイド部１２の形状は弓形に湾曲しており、トラクタ用紙６はこの湾曲形状に沿って給紙口７から排紙口８（ともに図１参照）に向けて搬送される。
【００１５】
ベルトユニット１１は、図２に示すように、ベース１５、固定カバー１６、可動カバー１７、およびローラ保持体１９を備えている。ローラ保持体１９にはシャフト１３が貫入されている。
【００１６】
可動カバー１７は、ベルトユニット１１のベース１５にヒンジ部１５ｂを介して回動可能に支持されている。可動カバー１７は、作業者が手指等で加えた力によって、図２中の仮想線で示す起立した開位置と、図２中の実線で示す伏臥した閉位置との間で往復移動する。ヒンジ部１５ｂは、各ベルトユニット１１においてトラクタ用紙６の幅方向外側に設けられている。そして、ヒンジ部１５ｂの回動軸はトラクタ用紙６の幅方向両端縁である両縁部６ａに沿っている。したがって、ベルトユニット１１のそれぞれに設けられた二つの可動カバー１７は、相互に幅方向内側に向かいあうように伏臥した閉位置からトラクタ用紙６の幅方向外側かつ上側に向けて観音開き状に開く。作業者は、手指等で可動カバー１７を開き、ピンベルト１４のピン１４ｂ（図３参照）にトラクタ用紙６の送り孔６ｂを嵌めて、ピンベルト１４にトラクタ用紙６をセットする。
【００１７】
図３は、ベルトユニット１１の側方断面図である。尚、ベルトユニット１１の一部は切り欠いて図示していない。
【００１８】
ベース１５は、固定カバー１６、可動カバー１７、ローラ保持体１９等を支持している。また、ベース１５は、ピンベルト１４を輪転させる一対の輪転手段としてのローラ２０、２０Ａ（２０）を回転可能に支持している。そして、ローラ２０とローラ２０Ａの間には、無端状のピンベルト１４が輪転可能に掛け渡されている。ローラ２０Ａは図示しないモータによって例えば反時計回りに回転駆動される。そして、ローラ２０Ａが反時計回りに回転駆動されると、ピンベルト１４は、図３中矢印の方向に輪転する。なお、ピンベルト１４が図３中矢印のように輪転する軌道を、ピンベルト１４の輪転軌道という。また、輪転手段は少なくとも一対備えられていれば、２つ以上であってもよい。また、輪転手段は、ローラ２０に限定されずその他の形状であってもよい。
【００１９】
固定カバー１６、可動カバー１７は、ベース１５の上部を覆うように設けられている。固定カバー１６の下面１６ａ、可動カバー１７の下面１７ａは、ベース１５の上面１５ａに対してほぼ一定の間隔を空けて、ベース１５の上面１５ａに対向配置されている。これら下面１６ａ、１７ａとベース１５の上面１５ａとの間がトラクタ用紙６の搬送経路１０であり、トラクタ用紙６はピンベルト１４の輪転に伴ってこの搬送経路１０を搬送される。
【００２０】
すなわち、トラクタ９は、給紙口７（図１参照）に載置されたトラクタ用紙６を取り込んで、このトラクタ用紙６を搬送経路１０内において搬送する。そして、搬送経路１０内において図示しないプリンタ部がトラクタ用紙６に印字を行った後、トラクタ９は印字後のトラクタ用紙６を排紙口８（図１参照）に向けて搬送し、排紙口８からトラクタ用紙６を排出する。
【００２１】
ピンベルト１４は、エラストマ等の可撓性材料で構成されている。ピンベルト１４は、一定幅で帯状のベルト部１４ａと、ベルト部１４ａの外周側の幅方向中央部で周方向に一定のピッチで突出する複数のピン１４ｂとを有している。搬送経路１０の中間部（即ち、搬送経路１０において可動カバー１７の下方近傍から固定カバー１６の下方近傍にかけて）において、ピン１４ｂの先端はベース１５の上面１５ａより上方に突出する。従って、搬送経路１０の中間部においては、トラクタ用紙６の送り孔６ｂがピン１４ｂによって係止され、ピンベルト１４の輪転に伴ってトラクタ用紙６は搬送経路１０を牽引される。
【００２２】
ローラ２０、２０Ａの間に位置するローラ保持体１９は、２個のコイル部を有するダブルトーションバネ２１（以下、単にバネ２１という）を支持している。バネ２１のコイル部はそれぞれ、各ローラ１８の軸２２に巻装されている。ローラ１８は、バネ２１の弾性によって図３中の矢印４０の方向に付勢されて、ピンベルト１４に当接するとともにピンベルト１４を矢印４０の方向に押圧する。これにより、ローラ１８はピンベルト１４の輪転軌道を矢印４０の方向に湾曲させる。そして、ピンベルト１４は２つのローラ１８間で張架される。
【００２３】
図３に示すように、ローラ１８の外周には、溝部１８ｂと、溝部１８ｂの縁である外縁部１８ａとが設けられている。
【００２４】
ピンベルト１４の輪転に伴いトラクタ用紙６がローラ１８部分に搬送されると、ローラ１８はピンベルト１４の輪転とともに回転し、ピンベルト１４の湾曲形状に沿ってトラクタ用紙６を搬送経路１０の搬送方向に送り出す。また、ピンベルト１４の湾曲部においては、ローラ１８の溝部１８ｂとピンベルト１４のピン１４ｂとが嵌合した状態でピンベルト１４が搬送される。
【００２５】
図３において直線３０は、ピン１４ｂの中心線１４ｃ（図５参照）と、ローラ１８の軸２２とが一直線上となる位置を示している。直線３０の位置でピンベルト１４は最も湾曲し、ピンベルト１４上のトラクタ用紙６も、最も湾曲することとなる。また、直線３０において、溝部１８ｂに対するピン１４ｂの嵌め込み深さは最も深くなる。
【００２６】
ここで、従来のローラ１８（９１８）の課題について補足説明する。図４−１、図４−２は、従来のローラ９１８およびピンベルト１４の直線３０における断面図である。図示するように、ローラ９１８の外周には、ピン１４ｂを収容するための溝部９１８ｂと、溝部９１８ｂの縁である外縁部９１８ａとが設けられている。図４−１は、ローラ９１８とピンベルト１４との間にトラクタ用紙６が挿し込まれていない状態を示しており、図４−２は、ローラ９１８とピンベルト１４との間にトラクタ用紙６が挿し込まれている状態を示している。
【００２７】
図４−１に示すように、従来のローラ９１８において溝部９１８ｂの深さｄ３はピン１４ｂの高さｈ以上である。上述のように、ローラ９１８はバネ２１によって付勢されているため、ローラ９１８の外縁部９１８ａはピンベルト１４のベルト部１４ａに当接し、押し当てられる。そして、図４−２に示すように、トラクタ用紙６がローラ９１８とピンベルト１４との間に挿し込まれると、ローラ９１８はバネ２１の弾性によってトラクタ用紙６の厚みの分だけ矢印４０とは逆の方向に押し戻される。ローラ９１８はバネ２１によって付勢されているため、ローラ９１８の外縁部９１８ａはトラクタ用紙６に当接し、押し当てられる。このように、ローラ９１８が配置されているピンベルト１４の湾曲部近傍において、トラクタ用紙６の送り孔６ｂの縁は、ローラ９１８の外縁部９１８ａによって押圧される。
【００２８】
また、特にトラクタ用紙６が数枚重ね合わされた伝票用紙や厚紙である場合等には、トラクタ用紙６はピンベルト１４の湾曲形状に沿って湾曲しづらい。従って、湾曲部分においてトラクタ用紙６は、ローラ９１８の外縁部９１８ａによって搬送方向に押し込まれるように搬送される。従って、ローラ９１８の外縁部９１８ａによって押し止められている部分の近傍では、撓みきれないトラクタ用紙６がよれて、皺が生じやすいという課題がある。
【００２９】
これに対して、バネ２１の弾性定数を小さくするという対策も考えうるが、この場合にはピン１４ｂが送り孔６ｂから外れやすくなるという恐れがある。
【００３０】
次に、本実施形態のローラ１８について説明する。図５は、本実施形態のローラ１８およびピンベルト１４の直線３０における断面図である。図３で上述したように、ローラ１８の外周には、外縁部１８ａと、溝部１８ｂとが設けられている。即ち、ローラ１８の外周面１８ｅは、外縁部１８ａの表面と、溝部１８ｂの底面１８ｃとにより構成される。また、ピンベルト１４においては、ベルト部１４ａの外周面１４ｅにピン１４ｂが突出形成されている。
【００３１】
図５に示すように、直線３０（図３参照）の位置において、ローラ１８の溝部１８ｂは、溝部１８ｂに嵌め込まれたピン１４ｂの先端部１４ｄと当接する。これによりローラ１８は、ピンベルト１４を矢印４０の方向に押してピンベルト１４の輪転軌道を湾曲させる。このような状態で本実施形態のローラ１８は、直線３０（図３参照）の位置において、ローラ１８の外縁部１８ａの表面とピンベルト１４のベルト部１４ａの表面との間に隙間ｄ４を空けて設けられている。
【００３２】
ここで、隙間ｄ４は、溝部１８ｂの深さｄ３、ピン１４ｂの高さｈによって、ｄ４＝ｈ−ｄ３と表される。従って、ローラ１８の外縁部１８ａとベルト部１４ａとの間に隙間ｄ４が設けられるためには、ｄ４＝ｈ−ｄ３＞０となる必要がある。従って、ローラ１８の溝部１８ｂの深さｄ３は、ｄ３＜ｈ（式１）であればよい。即ち、ローラ１８の溝部１８ｂの深さをピン１４ｂの高さｈより小さく（浅く）することにより、ローラ１８の外縁部１８ａの表面とベルト部１４ａの表面との間に隙間ｄ４を設けることができる。
【００３３】
また、隙間ｄ４はトラクタ用紙６の厚みｄ５よりも広くとってもよい。この場合は、ｄ４＝ｈ−ｄ３＞ｄ５となる必要がある。従って、ローラ１８の溝部１８ｂの深さｄ３を、ｄ３＜ｈ−ｄ５（式２）となるように設ければよい。
【００３４】
より好適な実施形態としては、隙間ｄ４はトラクタ用紙６の厚みｄ５の２倍から３倍あることが好ましい。例えば厚みｄ５のｎ倍以上とする場合は、ｄ４＝ｈ−ｄ３≧ｎ・ｄ５となる。従って、ローラ１８の溝部１８ｂの深さｄ３を、ｄ３≦ｈ−ｎ・ｄ５（式３）となるように設ければよい。尚、ｎは自然数、分数、少数のいずれでもよい。
【００３５】
このように、ローラ１８の溝部１８ｂの深さｄ３を調整して、上記（式１）ないし（式３）の少なくとも１つの関係式を満たすことにより、ローラ１８の外縁部１８ａとベルト部１４ａの表面との間に隙間ｄ４を設けることができる。尚、好適な実施形態としては、溝部１８ｂの深さｄ３を浅くする場合であっても所定の深さ以上として、ピン１４ｂが溝部１８ｂから外れにくくするように構成するとよい。
【００３６】
尚、上述では、ローラ１８の構成によって上記隙間ｄ４を設けるとしたが、ピンベルト１４の構成によって上記隙間ｄ４を設けるとしてもよい。
【００３７】
図６は、ピン２１４ｂの高さｈを変更したピンベルト２１４の一例を示す図である。図６に示すように、ピン２１４ｂの高さｈを調整することにより、上述した各関係式（式１）ないし（式３）の少なくとも１つを満たすとしてもよい。尚、（式１）〜（式３）の少なくとも１つに示す条件が満たされれば、図４−１で示した従来のローラ９１８を用いるとしてもよい。
【００３８】
上述のように、実施形態のトラクタ９においては、ピンベルト１４が最も湾曲する直線３０の位置において、ローラ１８の外周面１８ｅとベルト部１４ａの外周面１４ｅとの間に隙間ｄ４が設けられる。これにより、トラクタ用紙６が最も湾曲してよれやすい状態となる位置において、トラクタ用紙６をよれにくくしている。
【００３９】
また、ローラ１８の形状は図５、図６で示した形状に限定されず、その他の形状であってもよい。図７は、その他の形状のローラ２１８の一例を示す断面図である。図７に示すように、ローラ２１８の溝部２１８ｂは、ピン１４ｂの先端部１４ｄが当接する中央部を底部とする湾曲面によって形成されてもよい。このような形状とすることで、ピン１４ｂの先端部１４ｄがローラ２１８の中心線２１８ｃ上で安定し易くなり、ピン１４ｂの先端部１４ｄがローラ２１８の溝部２１８ｂ内で横ずれしづらくなるため、ローラ２１８が円滑に回転し易くなる。
【００４０】
また、ローラ２１８の外縁部２１８ａには、面取り部２１８ｄを形成するとしてもよい。即ち、図７に示すように、面取り部２１８ｄは、ローラ２１８の外周面２１８ｅにおいて、ローラ２１８の回転中心線２２ｃに沿う方向での両縁部に形成される。また、面取り部２１８ｄは、ローラ２１８の外周面２１８ｅに沿って環状に形成される。これにより、トラクタ用紙６がピンベルト１４から浮き上がった場合等においても、トラクタ用紙６がよれにくく皺が生じにくくすることができる。尚、図７において面取り部２１８ｄはＲ面取りが施されているが、面取り部２１８ｄの形状はこれに限定されるものではない。その他の例として、面取り部２１８ｄはＣ面取りを施されるとしてもよい。
【００４１】
以上のように、本実施形態のトラクタ９は、ローラ１８の外周面１８ｅに設けられた溝部１８ｂに、ピン１４ｂの先端を当接させてピンベルト１４の輪転軌道を湾曲させるとともに、ローラ１８の外周面１８ｅとベルト部１４ａの外周面１４ｅとを離間させている。これにより、ローラ１８とピンベルト１４とが当接するピンベルト１４の湾曲部分においてトラクタ用紙６をよれにくくすることができ、皺を生じさせにくくすることができる。
【００４２】
また、本実施形態のトラクタ９によれば、ローラ１８の溝部１８ｂとピン１４ｂの先端とが当接することによりピンベルト１４の輪転軌道を湾曲させるため、ローラ１８はピンベルト１４を直接押下することができる。一般的にピンベルト１４はトラクタ用紙６よりも摩擦係数が大きいため、このようにローラ１８がピンベルト１４のピン１４ｂに直接当接する場合には、ローラ１８がトラクタ用紙６を押し付ける場合に比べて滑りが生じにくい。従って、トラクタ用紙６にピン１４ｂを押し当ててトラクタ用紙６を搬送する従来例と比べて、ローラ１８はピンベルト１４を押圧しやすくなり、トラクタ用紙６を送り出し易くすることができる。
【００４３】
さらにこの場合、ピン１４ｂとローラ１８とが当接するため、バネ２１によってローラ１８を矢印４０の方向に付勢しなくともよい。従って、例えばローラ１８の軸２２をローラ保持体１９に直接保持するなどして、トラクタ９の構成部品を減らすことができる。
【００４４】
尚、上述ではローラ１８を２つ設けるとしたが、ローラ１８の数は１つでもよいし、２つ以上であってもよい。
【００４５】
また、上記実施形態では、トラクタ９を筐体２内に納めて小型化する構成を例示したが、トラクタ９の上流側が筐体２の外部に突出する構成としてもよい。また、トラクタ９の装着位置や、トラクタ９の形状、装着姿勢等も、上記実施形態には限定されない。尚、事務機１は、コンピュータの本体部を含まないプリンタ装置として構成することも可能である。
【００４６】
また、上述では、ベルトユニット１１およびガイド部１２の形状が弓形に湾曲し、トラクタ用紙６の搬送経路１０が湾曲している場合について説明したが、図８に示すように搬送経路１０が湾曲していない場合においても、上述した実施形態を適用することができる。図８は、トラクタ用紙６の搬送経路１０が湾曲していない場合のベルトユニット１１の側方断面図である。図８に示すように、ピンベルト１４の輪転軌道は、ローラ２０、２０Ａの間で直線的に設けられてもよい。例えばローラ１８は、トラクタ用紙６をベース１５の上面１５ａに対して押し付けてトラクタ用紙６が搬送経路１０の間で浮き上がることを防止するため等に用いられてもよいが、ローラ１８の目的および作用はこれに限定されるものではない。
【００４７】
これにより、搬送経路１０が湾曲していない場合においても、上述したようにローラ１８とピンベルト１４とが当接する部分においてトラクタ用紙６をよれにくくすることができるとともに、ローラ１８がピンベルト１４を押圧し易くなり、トラクタ用紙６を送り出し易くすることができる。 
【００４８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４９】
１…事務機、２…筐体、３…本体部、４…キーボード、５…ディスプレイ、６…トラクタ用紙、６ａ…両縁部、６ｂ…送り孔、９…トラクタ、１０…搬送経路、１１…ベルトユニット、１２…ガイド部、１３…シャフト、１４、２１４…ピンベルト、１４ａ…ベルト部、１４ｂ、２１４ｂ…ピン、１４ｃ、２１８ｃ…中心線、１４ｄ…先端部、１４ｅ…外周面、１８、２０、２０Ａ、２１８、９１８…ローラ、１８ａ、２１８ａ、９１８ａ…外縁部、１８ｂ、９１８ｂ…溝部、１８ｃ…底面、１８ｅ…外周面、１９…ローラ保持体、２１…バネ、２２…軸、３０…直線、４０…矢印、ｄ４…隙間。
【先行技術文献】
【特許文献】
【００５０】
【特許文献１】特開２００８−７３０１号公報
【図１】
0005291816.tif 000002
【図２】
0005291816.tif 000003
【図３】
0005291816.tif 000004
【図４−１】
0005291816.tif 000005
【図４−２】
0005291816.tif 000006
【図５】
0005291816.tif 000007
【図６】
0005291816.tif 000008
【図７】
0005291816.tif 000009
【図８】
0005291816.tif 000010